(57)【要約】【課題】ショーケースのコーナー部に取り付けられるバンパーの脱落を防止することができるショーケースを提供すること。【解決手段】ケース本体３のコーナー部６に取り付けられた湾曲状のコーナートリム７と、コーナートリム７を介して互いに連設される一対の直線状のガードレール４と、を備えるショーケースであって、コーナートリム７と各ガードレール４との外面に、略水平方向に連続する凹溝８，２０を形成するとともに、各凹溝８，２０に、バンパー９，２１が連続的に嵌め込まれる。【選択図】図３
2011251020.tif 000002
【特許請求の範囲】
【請求項１】
ケース本体のコーナー部に取り付けられた湾曲状のコーナートリムと、該コーナートリムを介して互いに連設される一対の直線状のガードレールと、を備えるショーケースであって、
前記コーナートリムと前記各ガードレールとの外面に、略水平方向に連続する凹溝を形成するとともに、該各凹溝に、バンパーが連続的に嵌め込まれることを特徴とするショーケース。
【請求項２】
前記バンパーは、前記各ガードレールの凹溝に嵌め込まれるラインバンパーと、前記コーナートリムの凹溝に嵌め込まれるコーナーバンパーと、から構成され、該コーナーバンパーの両端部の裏面側には、隣接するガードレールの凹溝に延びる延設片が形成され、該各延設片が隣接するガードレールにそれぞれ固定されることを特徴とする請求項１に記載のショーケース。
【請求項３】
前記バンパーは、前記各ガードレールの凹溝に嵌め込まれるラインバンパーと、前記コーナートリムの凹溝に嵌め込まれるコーナーバンパーと、から構成され、該コーナーバンパーの両端部の表面側には、隣接するラインバンパーの端部を被装するコーナーカバー部が形成されることを特徴とする請求項１または２に記載のショーケース。
【請求項４】
前記ガードレールの凹溝は、略蟻溝形状に形成されるとともに、前記ラインバンパーの裏面側に、前記ガードレールの凹溝に嵌合される上下の突出片が形成されることで、該ラインバンパーの断面視形状が前記ガードレールの凹溝に嵌合されたときに略補形をなし、かつ前記コーナートリムの凹溝は、その上下幅寸法が間口と奥部とでほぼ同一寸法であるとともに、前記コーナーバンパーの断面視形状が前記コーナートリムの凹溝に略補形をなしていることを特徴とする請求項２または３に記載のショーケース。
【請求項５】
前記ガードレールは、上部ガードレール部材と下部ガードレール部材とから構成され、該上下の各ガードレール部材が重なる積重部により、前記凹溝の奥部を形成するとともに、該積重部がケース本体に対して固定されることを特徴とする請求項１ないし４のいずれかに記載のショーケース。
【発明の詳細な説明】
【技術分野】
【０００１】
本発明は、商品販売店舗等に設置される商品陳列用のショーケースに関する。
【背景技術】
【０００２】
従来のショーケースには、ショッピングカートの衝突からショーケースの化粧板を保護するために、ショーケースの外装板に設けられた蟻溝に弾性を有する合成樹脂材製のバンパーが取り付けられている（例えば、特許文献１参照）。
【０００３】
また、このような樹脂製バンパーは、ショーケースのコーナー部にも取り付けられるようになっている。特に、コーナー部には、様々な方向からショッピングカートが衝突されるため、コーナーバンパーを螺着するネジに対して引き抜き力が加わり易くなっており、コーナーバンパーが脱落し易くなっている。このコーナーバンパーの脱落を防止するために、コーナー部外面に金具を螺着し、この金具に対してコーナーバンパーを螺着するようにしている（例えば、特許文献２及び３参照）。
【先行技術文献】
【特許文献】
【０００４】
【特許文献１】実用新案登録第２６０００２８号公報（第２頁、第３図）
【特許文献２】特許第３８０２２５５号公報（第４頁、第２図）
【特許文献３】特許第３８０２２６３号公報（第４頁、第４図）
【発明の概要】
【発明が解決しようとする課題】
【０００５】
しかしながら、特許文献２及び３に記載のショーケースにあっては、コーナーバンパーの取り付け強度は向上するものの、ショッピングカートがコーナーバンパーに衝突した際に、コーナーバンパーに加わった衝撃力が上下左右のいずれの方向にも加わるようになり、この衝撃力によってコーナーバンパーを螺着するネジに対して様々な方向に引き抜き力が加わり、ネジの劣化や磨耗が激しくなり、コーナーバンパーが脱落し易くなるという問題がある。
【０００６】
本発明は、このような問題点に着目してなされたもので、ショーケースのコーナー部に取り付けられるバンパーの脱落を防止することができるショーケースを提供することを目的とする。
【課題を解決するための手段】
【０００７】
前記課題を解決するために、本発明のショーケースは、
ケース本体のコーナー部に取り付けられた湾曲状のコーナートリムと、該コーナートリムを介して互いに連設される一対の直線状のガードレールと、を備えるショーケースであって、
前記コーナートリムと前記各ガードレールとの外面に、略水平方向に連続する凹溝を形成するとともに、該各凹溝に、バンパーが連続的に嵌め込まれることを特徴としている。
この特徴によれば、コーナー部に様々な方向からショッピングカートが衝突されても、コーナー部のバンパーの上下縁部が凹溝の上下内面により保持されるため、バンパーに加わった衝撃力が広がる際に、その衝撃力が凹溝によって抑えられ、バンパーの保持力が向上するようになり、ショーケースのコーナー部に取り付けられるバンパーの脱落を防止することができる。
【０００８】
本発明のショーケースは、
前記バンパーは、前記各ガードレールの凹溝に嵌め込まれるラインバンパーと、前記コーナートリムの凹溝に嵌め込まれるコーナーバンパーと、から構成され、該コーナーバンパーの両端部の裏面側には、隣接するガードレールの凹溝に延びる延設片が形成され、該各延設片が隣接するガードレールにそれぞれ固定されることを特徴としている。
この特徴によれば、ラインバンパーとコーナーバンパーとに分割されて、各々のバンパーに加わる衝撃力が隣接するバンパーに伝達され難くなり、かつコーナーバンパーは、隣接するガードレールに固定されるため、コーナーバンパーの保持力が向上するようになり、ショーケースのコーナー部に取り付けられるコーナーバンパーの脱落を防止することができる。
【０００９】
本発明のショーケースは、
前記バンパーは、前記各ガードレールの凹溝に嵌め込まれるラインバンパーと、前記コーナートリムの凹溝に嵌め込まれるコーナーバンパーと、から構成され、該コーナーバンパーの両端部の表面側には、隣接するラインバンパーの端部を被装するコーナーカバー部が形成されることを特徴としている。
この特徴によれば、ラインバンパーとコーナーバンパーとに分割されて、各々のバンパーに加わる衝撃力が隣接するバンパーに伝達され難くなり、かつラインバンパーの端部がコーナーカバー部により被装され、ラインバンパーが脱落し難くなるとともに、バンパーの見栄えも向上される。
【００１０】
本発明のショーケースは、
前記ガードレールの凹溝は、略蟻溝形状に形成されるとともに、前記ラインバンパーの裏面側に、前記ガードレールの凹溝に嵌合される上下の突出片が形成されることで、該ラインバンパーの断面視形状が前記ガードレールの凹溝に嵌合されたときに略補形をなし、かつ前記コーナートリムの凹溝は、その上下幅寸法が間口と奥部とでほぼ同一寸法であるとともに、前記コーナーバンパーの断面視形状が前記コーナートリムの凹溝に略補形をなしていることを特徴としている。
この特徴によれば、ラインバンパーの突出片が撓み易くなり、各ガードレールの蟻溝形状の凹溝に取り付け易くなるばかりか、突出片が撓むことによってラインバンパーにショッピングカートが衝突したときの衝撃力を吸収でき、かつコーナートリムの凹溝の上下幅寸法が間口と奥部でほぼ同一寸法で、この凹溝にコーナーバンパーが略補形をなすことで、コーナーバンパーから凹溝の内面に加わる衝突力が凹溝の間口と奥部でほぼ均等に加わるようになり、その衝撃力を凹溝によって抑えてコーナーバンパーの撓みや変形等を防止できる。
【００１１】
本発明のショーケースは、
前記ガードレールは、上部ガードレール部材と下部ガードレール部材とから構成され、該上下の各ガードレール部材が重なる積重部により、前記凹溝の奥部を形成するとともに、該積重部がケース本体に対して固定されることを特徴としている。
この特徴によれば、バンパーにショッピングカートが衝突した際に、その衝撃力が最も集中する凹溝の奥部を強固に形成できるとともに、この奥部を形成する積重部がケース本体に対して固定されるため、バンパーに加わる衝突力が直線的にケース本体に向かうようになり、ガードレールが上下に揺れずに衝撃力を受けることができ、ガードレールの破損等を防止することができる。
【図面の簡単な説明】
【００１２】
【図１】実施例におけるショーケースを示す斜視図である。
【図２】ガードレールとラインバンパーを示す縦断側面図である。
【図３】コーナートリムを示す斜視図である。
【図４】コーナーバンパーを取り付けた状態のコーナートリムを示す斜視図である。
【図５】コーナーバンパーを表面側から見た状態を示す斜視図である。
【図６】コーナーバンパーを裏面側から見た状態を示す斜視図である。
【図７】コーナートリムを示す平面図である。
【図８】コーナートリムを示す正面図である。
【図９】ガードレールを示す斜視図である。
【図１０】ラインバンパーを取り付けた状態のガードレールを示す斜視図である。
【図１１】連設部用エンド部材を示す斜視図である。
【図１２】端部用エンド部材を示す斜視図である。
【発明を実施するための形態】
【００１３】
本発明に係るショーケースを実施するための形態を実施例に基づいて以下に説明する。
【実施例】
【００１４】
実施例に係るショーケースにつき、図１から図１２を参照して説明する。以下、図２の紙面左側をショーケースの正面側（前方側）とし、図７の紙面下側をショーケースの正面側（前方側）として説明する。
【００１５】
図１の符号１は、スーパーマーケットなどの商品販売店舗等に設置される本発明の適用されたショーケースである。このショーケース１は、平面視で略四角形状をなしており、その内部に冷凍・冷蔵機ユニット（図示略）を備え、陳列する商品を冷凍・冷蔵しながら陳列できる。また、ショーケース１は左右に２つのユニット２に分割できるようになっており、工場にて製造された各ユニットは、設置店舗に搬入された後に一体的に組み合わせられるようになっている。
【００１６】
図１に示すように、ショーケース１の四方の外周壁３には、床面から所定の高さ位置に、直線状のガードレール４が設けられている。このガードレール４は、ショッピングカート（図示略）などの衝突から外周壁３の化粧板５を保護するために設けられている。更に、ショーケース１のコーナー部６（角部）にも、ガードレール４と同様に外周壁３を保護する湾曲状コーナートリム７が設けられている。尚、ガードレール４及びコーナートリム７が破損しても外周壁３から容易に取り外しが行えるようになっている。
【００１７】
図２に示すように、ガードレール４の表面形状は、外方に向かって突出する略山型形状をなしており、ガードレール４の突端部には、凹溝状に形成されたライン溝８（ガードレールの凹溝）が、ガードレール４の長手方向の全体に渡って設けられている。このライン溝８には、弾力性を有する合成樹脂製のラインバンパー９が長手方向の全体に渡って嵌合されている。尚、ラインバンパー９は押出成形により製造され、その長手方向の全体に渡って同一形状をなしている。
【００１８】
また、ライン溝８は、その上下幅寸法が間口８ａ（外方側）よりも奥部８ｂ（底面側）が大となっている略蟻溝形状に形成される。そして、ラインバンパー９の裏面側には、ライン溝８に嵌合される上下の突出片１０が形成されている。ラインバンパー９をライン溝８に嵌合させる際に、突出片１０は撓むようになっている。尚、ラインバンパー９の断面視形状は、ライン溝８に嵌合されたときにライン溝８と略補形をなすようになっている。
【００１９】
更に、ラインバンパー９の裏面側には、突出片１０により形成される空隙部１１が設けられるとともに、ラインバンパー９の前後方向の中央部に補強板部１２が形成され、この補強板部１２よりも前方側に中空部１３が形成されている。更に尚、ラインバンパー９の表面には、最も外方に突出された垂直面９ａと、この垂直面９ａの上部に形成された傾斜面９ｂと、が形成されている。
【００２０】
ラインバンパー９の表面側にショッピングカートが衝突した際には、ラインバンパー９が前後方向に押し潰されるように変形して、その衝突力を吸収するとともに、上下の突出片１０が上下に広がるようになり、ラインバンパー９がライン溝８から脱落しないようになっているとともに、衝突力がライン溝８の上下内面８ｃによって抑えられるようになっている。
【００２１】
図２に示すように、ガードレール４は、一枚の金属板体を屈曲して形成された上部ガードレール部材１４と、同様に形成された下部ガードレール部材１５と、から構成されている。また、ショーケース１の外周壁３（ケース本体）を構成する断熱材１６には、ハット型金具１７がネジ１８により取り付けられている。このハット型金具１７の突端部に上部ガードレール部材１４の下部が取り付けられるとともに、下部ガードレール部材１５の上部が取り付けられ、上下の各ガードレール部材１４，１５が重なる部位（積重部）がネジ１９によりハット型金具１７に固定される。そして、この重なる部位（積重部）により、ライン溝８の奥部８ｂが形成される。
【００２２】
図３に示すように、一対のガードレール４は、コーナートリム７を介して互いに連設されている。コーナートリム７の表面形状は、ガードレール４の表面形状と同様に、外方に向かって突出する略山型形状をなしており（図８参照）、コーナートリム７及びガードレール４が一体的に水平方向に連続するデザインとなっている。
【００２３】
コーナートリム７の突端部には、溝状に形成されたコーナー溝２０（コーナートリムの凹溝）が、コーナートリム７の水平方向の全体に渡って設けられている。このコーナー溝２０には、弾力性を有する合成樹脂製のコーナーバンパー２１が水平方向の全体に渡って嵌合される（図４参照）。尚、コーナーバンパー２１は金型成形により製造されている。
【００２４】
図７に示すように、コーナートリム７は、平面視で湾曲された形状となっている。更に、図８に示すように、コーナートリム７のコーナー溝２０内には、コーナートリム７を外周壁３に取り付けるためのネジ（図示略）を挿通させるネジ挿通孔２２，２３が形成されている（図３参照）。このネジ挿通孔２２，２３は所定の２箇所に設けられ、それぞれ別方向からネジ（図示略）を挿通してコーナートリム７を外周壁３に螺着できるようになっている。
【００２５】
図３に示すように、コーナートリム７及びガードレール４を外周壁３に取り付ける際には、先ずコーナートリム７とハット型金具１７を外周壁３に取り付けて、その後、ガードレール４を構成する上部ガードレール部材１４と下部ガードレール部材１５との順で取り付けるようになっている。
【００２６】
また、コーナートリム７の両端部には、隣接するガードレール４と重なる重畳部２４，２５が設けられている。一方の重畳部２４には、上部ガードレール部材１４及び下部ガードレール部材１５の端部に形成された折曲部１４ａ，１５ａが係合される係合溝２４ａが形成されている（図３参照）。
【００２７】
また、図３及び図７に示すように、コーナー溝２０は、その上下幅寸法が間口２０ａ（外方側）と奥部２０ｂ（底面側）とでほぼ同一寸法となっている（図８参照）。つまりコーナー溝２０の上下内面２０ｃは略水平面となっている。尚、コーナーバンパー２１の断面視形状は、ライン溝８と略補形をなすようになっている。更に尚、コーナーバンパー２１の表面には、ラインバンパー９の表面と同様に、最も外方に突出された垂直面２１ａと、この垂直面２１ａの上部に形成された傾斜面２１ｂと、が形成されている（図５参照）。
【００２８】
図６に示すように、コーナーバンパー２１の両端部の裏面側には、隣接するガードレール４のライン溝８に向かって延びる延設片２６，２７が形成されている。一方の延設片２６には、ネジ（図示略）が挿通される貫通孔２６ａが形成されるとともに、他方の延設片２７にも、ネジ（図示略）が配置される切欠溝２７ａが形成されている。
【００２９】
尚、コーナーバンパー２１の裏面には、コーナー溝２０のネジ挿通孔２２に挿入されて、コーナーバンパー２１の位置決めができる位置決め凸部２８が設けられている。コーナーバンパー２１をコーナー溝２０に取り付ける際には、位置決め凸部２８をコーナー溝２０のネジ挿通孔２２に挿入してコーナーバンパー２１の位置決めをし、この状態で一方の延設片２６の貫通孔２６ａにネジ（図示略）を挿通して、一方のガードレール４のライン溝８内のネジ孔２９に螺着する。
【００３０】
そして、他方の延設片２７の切欠溝２７ａにネジ（図示略）を配置して、他方のガードレール４のライン溝８内のネジ孔３０に螺着する。尚、他方の延設片２７に切欠溝２７ａが設けられることによって、製造誤差等によりコーナーバンパー２１の固定用のネジの配置箇所が多少ずれていても許容できるようになっている。
【００３１】
図５に示すように、コーナーバンパー２１の両端部の表面側には、隣接するラインバンパー９の端部の表面全体を被装するコーナーカバー部３１が形成されている。コーナーカバー部３１は薄板状に形成されて撓み易くなっている。
【００３２】
コーナーバンパー２１及びラインバンパー９をコーナー溝２０及びライン溝８に取り付ける際には、先ずコーナーバンパー２１をコーナー溝２０に取り付けて、その後、ライン溝８にラインバンパー９を嵌合させつつ、ラインバンパー９の端部を、コーナーバンパー２１の延設片２６，２７とコーナーカバー部３１との間に圧入するようになっている。このときコーナーカバー部３１を撓ませることで容易にラインバンパー９の端部を圧入できるようになっている。
【００３３】
尚、ラインバンパー９の突出片１０により形成される空隙部１１に、コーナーバンパー２１の延設片２６，２７が配置されるようになっており（図２参照）、ラインバンパー９に加わった衝撃力が、延設片２６，２７に直接伝達されないようになり、コーナーバンパー２１の脱落を防止することができる。尚、ラインバンパー９とコーナーバンパー２１とに分割されているため、各々のバンパー９，２１に加わる衝撃力が隣接するバンパー９，２１に伝達され難くなっている。
【００３４】
図１及び図１０に示すように、ショーケース１の左右のユニット２が連設された連設部３２においても、各ガードレール４が一体的に連続するデザインとなっている。図９に示すように、左右に連設された各ガードレール４のライン溝８の連設部位には、弾力性を有する合成樹脂製の連設部用エンド部材３３が取り付けられる。尚、連設部用エンド部材３３は金型成形により製造されている。
【００３５】
図１１に示すように、連設部用エンド部材３３は、ラインバンパー９の端部が当接される板状部３４と、この板状部３４の裏面側に形成されてライン溝８の奥部８ｂに固定される固定片３５と、この板状部３４の表面側に形成されてラインバンパー９の端部の表面を被装するラインカバー部３６と、この板状部３４の略中央部から左右側方に突出される中央凸部３７と、を有している。
【００３６】
また、固定片３５には、ネジ３８が配置される切欠溝３５ａが形成されている。更に、固定片３５とラインカバー部３６と中央凸部３７のそれぞれが、板状部３４から略左右方向に延設されて、正面視において連設部用エンド部材３３の形状が左右対称をなす形状となっている。
【００３７】
尚、ラインカバー部３６は薄板状に形成されて撓み易くなっている。連設部用エンド部材３３及びラインバンパー９をライン溝８に取り付ける際には、先ず連設部用エンド部材３３をコーナー溝２０に取り付けて、その後、ライン溝８にラインバンパー９を嵌合させつつ、ラインバンパー９の端部を、連設部用エンド部材３３の固定片３５とラインカバー部３６との間に圧入するようになっており、このときラインカバー部３６を撓ませることで容易にラインバンパー９の端部を圧入できるようになっている。そして、各ラインバンパー９の端部同士が互いに突き合わされ、これらラインバンパー９の端部同士の間に板状部３４が配置される。
【００３８】
また、ラインバンパー９の突出片１０により形成される空隙部１１に、連設部用エンド部材３３の固定片３５が配置されるようになっており（図２及び図１１参照）、ラインバンパー９に加わった衝撃力が、固定片３５に直接伝達されないようになり、連設部用エンド部材３３の脱落を防止することができる。更に尚、ラインバンパー９の中空部１３に、連設部用エンド部材３３の中央凸部３７が配置されるようになっており（図２及び図１１参照）、ラインバンパー９の脱落を防止することができる。
【００３９】
また、図１２に示すように、前述した連設部用エンド部材３３以外にも、端部用エンド部材３９を用いることができる。この端部用エンド部材３９は、ショーケース１のユニット２の端部側に仕切板を設けたり、ユニット２単体で使用したりする場合を想定しており、ガードレール４のライン溝８の端部に設けられる。尚、端部用エンド部材３９は、前述した連設部用エンド部材３３と同様に、弾力性を有する合成樹脂製の部材となっている。
【００４０】
また、端部用エンド部材３９は、ラインバンパー９の端部が当接される板状部４０と、この板状部４０の一方の側面の裏面側に形成されてライン溝８の奥部８ｂに固定される固定片４１と、この板状部４０の一方の側面の表面側に形成されてラインバンパー９の端部の表面を被装するラインカバー部４２と、この板状部４０の一方の側面の略中央部から側方に突出される中央凸部４３と、を有している。また、固定片４１には、ネジ４４が配置される切欠溝４１ａが形成されている。
【００４１】
尚、これら端部用エンド部材３９の板状部４０と固定片４１とラインカバー部４２と中央凸部４３との機能等は、前述した連設部用エンド部材３３のものと同一となっているので説明を省略する。
【００４２】
以上、本実施例におけるショーケース１では、コーナートリム７と各ガードレール４との外面に、略水平方向に連続するコーナー溝２０及びライン溝８を形成するとともに、コーナー溝２０に、コーナーバンパー２１が嵌め込まれることで、コーナー部６に様々な方向からショッピングカートが衝突されても、コーナー部６のコーナーバンパー２１の上下縁部がコーナー溝２０の上下内面２０ｃにより保持されるため、コーナーバンパー２１に加わった衝撃力が広がる際に、その衝撃力がコーナー溝２０によって抑えられ、コーナーバンパー２１の保持力が向上するようになり、ショーケース１のコーナー部６に取り付けられるコーナーバンパー２１の脱落を防止することができる。
【００４３】
また、コーナーバンパー２１の両端部の裏面側には、隣接するガードレール４のライン溝８に延びる延設片２６，２７が形成され、各延設片２６，２７が隣接するガードレール４にそれぞれ固定されることで、コーナーバンパー２１は、隣接するガードレール４に固定されるため、コーナーバンパー２１の保持力が向上するようになり、ショーケースのコーナー部６に取り付けられるコーナーバンパー２１の脱落を防止することができる。
【００４４】
また、コーナーバンパー２１の両端部の表面側には、隣接するラインバンパー９の端部を被装するコーナーカバー部３１が形成されることで、ラインバンパー９の端部がコーナーカバー部３１により被装され、ラインバンパー９が脱落し難くなるとともに、バンパー９，２１の見栄えも向上される。
【００４５】
また、ガードレール４のライン溝８は、略蟻溝形状に形成されるとともに、ラインバンパー９の裏面側に、ガードレール４のライン溝８に嵌合される上下の突出片１０が形成されることで、ラインバンパー９の断面視形状がガードレール４のライン溝８に嵌合されたときに略補形をなすことで、ラインバンパー９の突出片１０が撓み易くなり、各ガードレール４の蟻溝形状のライン溝８に取り付け易くなるばかりか、突出片１０が撓むことによってラインバンパー９にショッピングカートが衝突したときの衝撃力を吸収でき、かつコーナートリム７のコーナー溝２０の上下幅寸法が間口２０ａと奥部２０ｂでほぼ同一寸法で、このコーナー溝２０にコーナーバンパー２１が略補形をなしていることで、コーナーバンパー２１からコーナー溝２０の内面２０ｃに加わる衝突力がコーナー溝２０の間口２０ａと奥部２０ｂでほぼ均等に加わるようになり、その衝撃力をコーナー溝２０によって抑えてコーナーバンパー２１の撓みや変形等を防止できる。
【００４６】
また、ガードレール４は、上部ガードレール部材１４と下部ガードレール部材１５とから構成され、上下の各ガードレール部材１４，１５が重なる積重部により、ライン溝８の奥部８ｂを形成するとともに、この奥部８ｂがショーケース１の外周壁３に対して固定されることで、ラインバンパー９にショッピングカートが衝突した際に、その衝撃力が最も集中するライン溝８の奥部８ｂを強固に形成できるとともに、この奥部８ｂを形成する積重部がショーケース１の外周壁３に対して固定されるため、ラインバンパー９に加わる衝突力が直線的に外周壁３に向かうようになり、ガードレール４が上下に揺れずに衝撃力を受けることができ、ガードレール４の破損等を防止することができる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、ラインバンパー９とコーナーバンパー２１とがそれぞれ別部材となっているが、これらのバンパー９，２１を可撓性を有する材質で一体的に形成して、コーナートリムと各ガードレールとの外面の凹溝８，２０に連続的に嵌め込むようにしてもよい。
【符号の説明】
【００４９】
１                ショーケース
３                外周壁（ケース本体）
４                ガードレール
６                コーナー部
７                コーナートリム
８                ライン溝（凹溝）
８ａ              間口
８ｂ              奥部
８ｃ              内面
９                ラインバンパー
１０              突出片
１１              空隙部
１４              上部ガードレール部材
１５              下部ガードレール部材
１７              ハット型金具（ケース本体）
２０              コーナー溝（凹溝）
２０ａ            間口
２０ｂ            奥部
２０ｃ            内面
２１              コーナーバンパー
２４，２５        重畳部
２６，２７        延設片
３１              コーナーカバー部
３３              連設部用エンド部材
３４              板状部
３５              固定片
３５ａ            切欠溝
３６              ラインカバー部
３７              中央凸部
３９              端部用エンド部材
４０              板状部
４１              固定片
４１ａ            切欠溝
４２              ラインカバー部
４３              中央凸部
【図１】
2011251020.tif 000003
【図２】
2011251020.tif 000004
【図３】
2011251020.tif 000005
【図４】
2011251020.tif 000006
【図５】
2011251020.tif 000007
【図６】
2011251020.tif 000008
【図７】
2011251020.tif 000009
【図８】
2011251020.tif 000010
【図９】
2011251020.tif 000011
【図１０】
2011251020.tif 000012
【図１１】
2011251020.tif 000013
【図１２】
2011251020.tif 000014